(57)【要約】  積層体は、光透過性を有し、複数の回折単位から構成される回折部を含む回折層であって、複数の回折単位は、回折層の広がる方向に沿って繰り返されるとともに、各回折単位が、反射型の回折格子から構成された少なくとも１つの回折要素を含む回折層と、光透過性を有し、可視光の少なくとも一部を吸収する複数の吸収部を含む吸収層であって、回折層と吸収層との間を光が透過する状態で回折層と対向する吸収層とを備える。回折層に対して、吸収層が位置する側とは反対側が観察側であり、回折層のうち、吸収層と対向する面とは反対側の面が表面であり、回折層の表面と対向する平面視において、各吸収部は、他の吸収部が重なる回折要素とは異なる１つの回折要素に重なっている。
2017179685.tif 000002
【特許請求の範囲】
【請求項１】
光透過性を有し、複数の回折単位から構成される回折部を含む回折層であって、前記複数の回折単位は、前記回折層の広がる方向に沿って繰り返されるとともに、前記各回折単位が、反射型の回折格子から構成された少なくとも１つの回折要素を含む前記回折層と、
光透過性を有し、可視光の少なくとも一部を吸収する複数の吸収部を含む吸収層であって、前記回折層と前記吸収層との間を光が透過する状態で前記回折層と対向する前記吸収層と、を備え、
前記回折層に対して、前記吸収層が位置する側とは反対側が観察側であり、
前記回折層のうち、前記吸収層と対向する面とは反対側の面が表面であり、
前記回折層の表面と対向する平面視において、前記各吸収部は、他の前記吸収部が重なる前記回折要素とは異なる１つの前記回折要素に重なっている
積層体。
【請求項２】
前記吸収層は、レーザー光線の照射によって発色する特性を有し、
前記吸収部は、前記吸収層に対する前記レーザー光線の照射によって発色した部分である
請求項１に記載の積層体。
【請求項３】
前記吸収層は、前記回折層に接し、
前記吸収層のうち、前記回折層に接する面が表面であり、
前記吸収部は、前記吸収層の前記表面に露出している
請求項１または２に記載の積層体。
【請求項４】
前記回折単位は、第１回折要素、第２回折要素、および、第３回折要素から構成され、
前記第１回折要素、前記第２回折要素、および、前記第３回折要素の間では、各回折要素を構成する前記回折格子の空間周波数が互いに異なり、
前記回折単位において、前記第１回折要素から射出される赤色の回折光、前記第２回折要素から射出される緑色の回折光、および、前記第３回折要素から射出される青色の回折光が、前記観察側の定点に向けて同時に射出されるように、前記各回折要素の間における前記空間周波数の差異と、前記各回折要素に含まれる単位構造が繰り返される方向とが設定されている
請求項１から３のいずれか一項に記載の積層体。
【請求項５】
前記各回折要素は、前記回折層の前記表面と対向する平面視において、円形状または楕円形状を有している
請求項２に記載の積層体。
【請求項６】
前記回折層は、光を射出する被検出部を含み、
前記被検出部は、前記回折層の前記表面と対向する平面視における前記被検出部の位置を前記被検出部から射出される光を用いて検出装置が検出するように構成されている
請求項２または５に記載の積層体。
【請求項７】
前記被検出部は光学素子であり、
前記被検出部は、光を回折する回折素子、光の反射を抑制する反射抑制素子、光を等方的に散乱する等方性散乱素子、光を異方的に散乱する異方性散乱素子、光を屈折させるレンズ素子、および、所定の偏光を選択的に反射する偏光反射素子から構成される群から選択される少なくとも１つである
請求項６に記載の積層体。
【請求項８】
前記回折層は、凹凸面を有し、
前記凹凸面に前記回折部と前記被検出部とが位置している
請求項７に記載の積層体。
【請求項９】
特定の個人に属する個人情報を含む積層体を備え、
前記積層体は、請求項１から８のいずれか一項に記載の積層体であり、
前記積層体は、前記吸収部による光の吸収と、前記回折要素のうち、前記回折層の前記表面と対向する平面視において、前記吸収部と重なる部分から射出される回折光とによって前記個人情報を表示するように構成されている
個人認証媒体。
【請求項１０】
光透過性を有するとともに、回折部と被検出部とを含む回折層を準備することと、
光透過性を有するとともに、レーザー光線の照射によって発色する特性を有した吸収層を準備することと、
前記回折層と前記吸収層とを対向させることと、
前記回折層の表面と対向する平面視における前記被検出部の位置を検出装置によって検出することと、
前記被検出部の位置を基準として、前記吸収層のうち、前記レーザー光線を照射する部位を決めることと、
前記吸収層に前記レーザー光線を照射して吸収部を形成することと、を含む
積層体の製造方法。
【発明の詳細な説明】
【技術分野】
【０００１】
本発明は、積層体、特定の個人に属する情報である個人情報を含む積層体である個人認証媒体、および、積層体の製造方法に関する。
【背景技術】
【０００２】
カードやパスポートなどの個人認証媒体として、レーザー発色層と、ホログラム層とを備える媒体が知られている。レーザー発色層は、特定の波長を有したレーザー光線を吸収することによって、黒色に変色する特性を有している。レーザー発色層には、特定の個人に属する情報として、例えば、個人の顔画像などが書き込まれている。ホログラム層は、ホログラム層の有する屈折率の変化や凹凸構造によって、所定の色を有した像を表示するように構成されている（例えば、特許文献１参照）。
【先行技術文献】
【特許文献】
【０００３】
【特許文献１】国際公開第２０１２／０５０２２３号
【発明の概要】
【発明が解決しようとする課題】
【０００４】
ところで、上述した個人認証媒体に付されるホログラム層は、予め所定の色を有した像を表示するように構成されているため、互いに異なる個人認証媒体間にて、ホログラム層の表示する像を変えるためには、各個人認証媒体用のホログラム層として互いに異なる構成を有したホログラム層を形成する必要がある。つまり、凹凸構造によって所定の像を形成するホログラム層であれば、ホログラム層の表示する像の形状は、ホログラム層が有する凹凸構造の形状によって制約される。そのため、凹凸構造の形状に対して、ホログラム層の表示する像の形状における自由度を高めることが可能な個人認証媒体が求められている。【０００５】
なお、個人認証媒体として用いられる積層体に限らず、凹凸構造によって所定の色を有した光を射出する回折層を有した積層体であって、例えば遊技用などの他の用途に用いられる積層体においても上述した事情は共通している。【０００６】
本発明は、回折層の形状に対する像の形状における自由度を高めることを可能とした積層体、個人認証媒体、および、積層体の製造方法を提供することを目的とする。
【課題を解決するための手段】
【０００７】
上記課題を解決するための積層体は、光透過性を有し、複数の回折単位から構成される回折部を含む回折層であって、前記複数の回折単位は、前記回折層の広がる方向に沿って繰り返されるとともに、前記各回折単位が、反射型の回折格子から構成された少なくとも１つの回折要素を含む前記回折層と、光透過性を有し、可視光の少なくとも一部を吸収する複数の吸収部を含む吸収層であって、前記回折層と前記吸収層との間を光が透過する状態で前記回折層と対向する前記吸収層と、を備える。前記回折層に対して、前記吸収層が位置する側とは反対側が観察側であり、前記回折層のうち、前記吸収層と対向する面とは反対側の面が表面である。前記回折層の表面と対向する平面視において、前記各吸収部は、他の前記吸収部が重なる前記回折要素とは異なる１つの前記回折要素に重なっている。【０００８】
上記課題を解決するための個人認証媒体は、特定の個人に属する個人情報を含む積層体を備え、前記積層体は、上記積層体である。前記積層体は、前記吸収部による光の吸収と、前記回折要素のうち、前記回折層の前記表面と対向する平面視において、前記吸収部と重なる部分から射出される回折光とによって前記個人情報を表示するように構成されている。【０００９】
上記構成によれば、複数の回折要素のうち、回折層の表面と対向する平面視において、吸収部と重なる回折要素では、回折要素を透過した光が吸収部によって吸収される。そのため、回折要素を透過した光が、回折層と他の層との界面や、吸収層と他の層との界面において、反射されたり散乱されたりすることが抑えられる。これにより、吸収部に重なる回折要素から射出される光が視認されるとき、回折要素が射出する回折光には、その回折光以外の光が混合しにくくなる。それゆえに、吸収部に重なる回折要素から射出される光において、その回折要素以外の回折要素から射出される光に比べて、回折要素の射出する回折光における彩度が高まるため、積層体は、彩度が高い光によって形成される像を表示することができる。このように、上記積層体によれば、回折層の形状に対する像の形状における自由度を高めることができる。【００１０】
上記積層体において、前記吸収層は、レーザー光線の照射によって発色する特性を有し、前記吸収部は、前記吸収層に対する前記レーザー光線の照射によって発色した部分であることが好ましい。【００１１】
上記構成によれば、回折層と吸収層とを対向させた状態で、吸収層に対して吸収部を形成することができる。そのため、吸収層に対して吸収部を形成した後に、回折層に対する吸収層の位置合わせを行う構成と比べて、回折層が備える回折要素に対する吸収部の位置の精度を高めることが可能になる。【００１２】
上記積層体において、前記吸収層は、前記回折層に接し、前記吸収層のうち、前記回折層に接する面が表面であり、前記吸収部は、前記吸収層の前記表面に露出していてもよい。【００１３】
上記構成によれば、吸収部が吸収層の表面よりも内側に位置する構成と比べて、吸収層のうち、吸収部が位置する部分では、回折層を透過した光が、回折層と吸収層との界面において反射あるいは散乱することが抑えられる。それゆえに、回折層の表面と対向する平面視において、吸収部と重なる回折要素が射出する回折光において、彩度がより高まりやすくなる。結果として、積層体の表示する像の形状がより鮮明になる。【００１４】
上記積層体において、前記回折単位は、第１回折要素、第２回折要素、および、第３回折要素から構成される。前記第１回折要素、前記第２回折要素、および、前記第３回折要素の間では、各回折要素を構成する前記回折格子の空間周波数が互いに異なる。前記回折単位において、前記第１回折要素から射出される赤色の回折光、前記第２回折要素から射出される緑色の回折光、および、前記第３回折要素から射出される青色の回折光が、前記観察側の定点に向けて同時に射出されるように、前記各回折格子の間における前記空間周波数の差異と、前記各回折要素に含まれる単位構造が繰り返される方向とが設定されていることが好ましい。【００１５】
上記構成によれば、回折単位が、赤色の回折光を射出する第１回折要素、緑色の回折光を射出する第２回折要素、および、青色の回折光を射出する第３回折要素から構成されるため、赤色の光、緑色の光、および、青色の光の加法混色によって、回折単位の射出する光の色を様々な色とすることができる。【００１６】
上記積層体において、前記各回折要素は、前記回折層の前記表面と対向する平面視において、円形状または楕円形状を有していることが好ましい。【００１７】
吸収部の形成に用いられるレーザー光線は、レーザー光線の延びる方向と直交する方向に沿う断面の形状が、円形状または楕円形状であることが多い。そのため、上記構成によれば、回折層の表面と対向する平面視において、吸収部が有する形状を回折要素が有する形状とほぼ相似とすることが容易である。それゆえに、回折層の表面と対向する平面視において、回折要素の面積に対して吸収部の面積が占める割合を調節しやすい。【００１８】
上記積層体において、前記回折層は、光を射出する被検出部を含み、前記被検出部は、前記回折層の前記表面と対向する平面視における前記被検出部の位置を前記被検出部から射出される光を用いて検出装置が検出するように構成されていることが好ましい。【００１９】
上記課題を解決するための積層体の製造方法は、光透過性を有するとともに、回折部と被検出部とを含む回折層を準備することと、光透過性を有するとともに、レーザー光線の照射によって発色する特性を有した吸収層を準備することと、前記回折層と前記吸収層とを対向させることと、前記回折層の表面と対向する平面視における前記被検出部の位置を検出装置によって検出することと、前記被検出部の位置を基準として、前記吸収層のうち、前記レーザー光線を照射する部位を決めることと、前記吸収層に前記レーザー光線を照射して吸収部を形成することと、を含む。【００２０】
上記構成によれば、回折層と吸収層とが対向する状態で吸収層に対してレーザー光線を照射する場合に、回折層が備える被検出部の位置を用いて、吸収層のうち、レーザー光線を照射する部位を決めることができる。【００２１】
上記積層体において、前記被検出部は光学素子である。前記被検出部は、光を回折する回折素子、光の反射を抑制する反射抑制素子、光を等方的に散乱する等方性散乱素子、光を異方的に散乱する異方性散乱素子、光を屈折させるレンズ素子、および、所定の偏光を選択的に反射する偏光反射素子から構成される群から選択される少なくとも１つであればよい。【００２２】
上記構成によれば、各光学素子が射出する光の特性に基づいて、被検出部の位置を検出することができる。【００２３】
上記積層体において、前記回折層は、凹凸面を有し、前記凹凸面に前記回折部と前記被検出部とが位置していることが好ましい。【００２４】
上記構成によれば、回折部と被検出部とが１つの凹凸面上に位置しているため、回折部と被検出部とを同時に形成することができる。そのため、回折部の位置に対する被検出部の位置の精度が高まり、結果として、回折要素の位置に対して、被検出部の位置に基づき形成された吸収部の位置の精度も高まる。
【発明の効果】
【００２５】
本発明によれば、回折層の形状に対する像の形状における自由度を高めることができる。
【図面の簡単な説明】
【００２６】
【図１】積層体および個人認証媒体を具体化した第１実施形態における個人認証媒体の平面構造を示す平面図。
【図２】図１のＩ−Ｉ線に沿う断面構造を示す断面図。
【図３】回折層の表面と対向する平面視における回折層の一部平面構造を拡大して示す部分拡大平面図。
【図４】回折層の表面と対向する平面視における回折層の一部平面構造を拡大して示す部分拡大平面図。
【図５】個人認証媒体の製造に用いる転写箔の断面構造を示す断面図。
【図６】積層体の製造方法を個人認証媒体の製造方法として具体化した第１実施形態における一工程を説明するための工程図。
【図７】個人認証媒体の製造方法における一工程を説明するための工程図。
【図８】個人認証媒体の製造方法における一工程を説明するための工程図。
【図９】回折層の表面と対向する平面視における回折層の一部平面構造を拡大して示す部分拡大平面図。
【図１０】回折層の表面と対向する平面視における回折層の一部平面構造を拡大して示す部分拡大平面図。
【図１１】積層体および個人認証媒体を具体化した第２実施形態における個人認証媒体の平面構造を示す平面図。
【図１２】図１１のＩＩ−ＩＩ線に沿う断面構造を示す断面図。
【図１３】個人認証媒体の製造に用いる転写箔の断面構造を示す断面図。
【図１４】積層体の製造方法を個人認証媒体の製造方法として具体化した第２実施形態における一工程を説明するための工程図。
【発明を実施するための形態】
【００２７】
［第１実施形態］
図１から図８を参照して、積層体、個人認証媒体、および、積層体の製造方法を具体化した第１実施形態を説明する。以下では、積層体の一例である個人認証媒体、積層体の製造方法の一例である個人認証媒体の製造方法、および、実施例を順番に説明する。
【００２８】
［個人認証媒体の構成］
図１から図４を参照して、個人認証媒体の構成を説明する。なお、個人認証媒体は、個人認証媒体を所有する特定の個人、すなわち所有者の身元を認証するために用いられる媒体である。
【００２９】
図１が示すように、個人認証媒体１０は二次元的に広がる板状を有し、同じく二次元的に広がる表面１０ｓを有している。表面１０ｓと対向する平面視において、個人認証媒体１０の一部に回折層１１が位置し、回折層１１が位置する部分とは異なる部分に、印刷部１２が位置している。すなわち、個人認証媒体１０は、１つの方向である第１方向Ｄ１と、第１方向Ｄ１に直交する方向である第２方向Ｄ２とに沿って広がる板状を有している。
【００３０】
回折層１１は、表面１０ｓと対向する平面視において楕円形状を有し、第１領域１１Ｒ１と第２領域１１Ｒ２とから構成されている。第２領域１１Ｒ２は、個人認証媒体１０の所有者に属する個人情報の一例である上半身像を回折光によって表示する領域であり、第１領域１１Ｒ１は、回折層１１のうちで、第２領域１１Ｒ２以外の部分を埋める領域であり、回折光を個人認証媒体１０の外部に向けて射出する領域である。なお、回折層１１は、表面１０ｓと対向する平面視において、多角形状などの楕円形状以外の形状を有してもよい。
【００３１】
印刷部１２は、文字情報を含む部分であり、例えば、個人認証媒体１０の名称、所有者の国籍、所有者の名前、所有者の生年月日、および、所有者の個人番号などを含んでいる。
【００３２】
図２は、図１のＩ−Ｉ線に沿う個人認証媒体１０の断面構造を示している。なお、図２では、図示の便宜上、個人認証媒体１０の厚さ、および、個人認証媒体１０の大きさに占める回折層１１の大きさが誇張されている。また、図２では、回折層１１が備える回折要素の数を大幅に減らした状態で、個人認証媒体１０が図示され、回折層１１が備える回折部を示す便宜上、回折層１１に対するハッチングが省略されている。
【００３３】
図２が示すように、個人認証媒体１０は、回折層１１と吸収層１３とを備えている。回折層１１は、光透過性を有し、複数の回折単位３０から構成される回折部２１を含んでいる。複数の回折単位３０は、回折層１１の広がる方向に沿って繰り返されるとともに、各回折単位３０が、反射型の回折格子から構成された少なくとも１つの回折要素から構成されている。吸収層１３は、光透過性を有し、可視光の少なくとも一部を吸収する複数の吸収部２２を含んでいる。吸収層１３は、回折層１１と吸収層１３との間を光が透過する状態で回折層１１と対向している。より詳しくは、吸収層１３は、回折層１１に接している。
【００３４】
回折層１１に対して、吸収層１３が位置する側とは反対側が観察側である。回折層１１のうち、吸収層１３と対向する面とは反対側の面が表面１１ｓである。回折層１１の表面１１ｓと対向する平面視において、各吸収部２２は、他の吸収部２２が重なる回折要素とは異なる１つの回折要素に重なっている。言い換えれば、回折層１１の表面１１ｓと対向する平面視において、複数の吸収部２２は、それぞれ、互いに異なる回折要素に重なっている。
【００３５】
複数の回折要素のうち、回折層１１の表面１１ｓと対向する平面視において、吸収部２２と重なる回折要素では、回折要素を透過した光が吸収部２２によって吸収される。そのため、回折要素を透過した光が、反射されたり散乱されたりすることが抑えられる。
【００３６】
これにより、吸収部２２に重なる回折要素から射出される光が視認されるとき、回折要素が射出する回折光には、回折光以外の光が混合しにくくなる。それゆえに、吸収部２２に重なる回折要素から射出される光において、その回折要素以外の回折要素から射出される光に比べて、回折要素の射出する回折光における彩度が高まるため、個人認証媒体１０は、彩度が高い光によって形成される像を表示することができる。結果として、回折層１１の形状に対する像の形状における自由度を高めることができる。
【００３７】
言い換えれば、個人認証媒体１０は、回折層１１の表面１１ｓと対向する平面視において、回折層１１が、二次元的に並ぶ複数の回折単位３０から構成されていても、吸収部２２と重なる回折要素、および、回折要素の面積に占める吸収部２２の面積の割合に応じた像を表示することができる。
【００３８】
回折層１１のうち、複数の回折単位３０の中で、吸収部２２と重なる回折単位３０を含む領域が上述した第２領域１１Ｒ２であり、吸収部２２と重ならない回折単位３０から構成される領域が上述した第１領域１１Ｒ１である。
【００３９】
回折部２１は、複数の回折単位３０から構成され、１つの回折単位３０は、第１回折要素３１、第２回折要素３２、および、第３回折要素３３から構成されている。
【００４０】
吸収層１３のうち、回折層１１に接する面が表面１３ｓであり、吸収部２２は、吸収層１３の表面１３ｓに露出している。そのため、吸収部２２が吸収層１３の表面１３ｓよりも内側に位置する構成と比べて、吸収層１３のうち、吸収部２２が位置する部分では、回折層１１を透過した光が、回折層１１と吸収層１３との界面において反射あるいは散乱することが抑えられる。それゆえに、回折層１１の表面１１ｓと対向する平面視において、吸収部２２と重なる回折要素が射出する回折光において、彩度がより高まりやすくなる。結果として、個人認証媒体１０の表示する像の形状がより鮮明になる。
【００４１】
吸収層１３は複数の吸収部２２を含み、全ての吸収部２２が、吸収層１３の表面１３ｓに露出している。言い換えれば、各吸収部２２が吸収層１３の表面１３ｓの一部を構成している。
【００４２】
吸収層１３のうち、表面１３ｓとは反対側の面が裏面１３ｒであり、吸収層１３の厚さ方向において、各吸収部２２は、表面１３ｓから、表面１３ｓと裏面１３ｒとの間のうち、裏面１３ｒよりも表面１３ｓ寄りの位置まで延びている。
【００４３】
吸収層１３は、レーザー光線の照射によって発色する特性を有し、吸収部２２は、吸収層１３に対するレーザー光線の照射によって発色した部分である。そのため、回折層１１と吸収層１３とを対向させた状態で、吸収層１３に対して吸収部２２を形成することができる。これにより、吸収層１３に対して吸収部２２を形成した後に、回折層１１に対する吸収層１３の位置合わせを行う構成と比べて、回折層１１が備える回折要素に対する吸収部２２の位置の精度を高めることが可能になる。
【００４４】
吸収層１３は、例えばレーザー光線の照射によって発色するポリカーボネートから形成された層である。吸収層１３のうちで発色していない部分は光を透過、反射、または、散乱し、吸収層１３のうちで発色した部分である吸収部２２は、光を吸収し、例えば黒色を有している。このように、吸収層１３において、発色した部分である吸収部２２と発色していない部分である非吸収部とは異なる光学的な性質を有する。
【００４５】
吸収部２２が吸収層１３の表面１３ｓに露出しているため、回折層１１が吸収層１３から取り外されたとき、吸収層１３から回折層１１を取り外した痕跡が残りやすい。吸収層１３から回折層１１を取り外した痕跡には、例えば、黒色を有した吸収部２２の一部が、回折層１１に付着することが挙げられる。
【００４６】
そのため、真正の個人認証媒体１０から取り外された回折層１１が、偽造あるいは改竄された個人認証媒体の吸収層に付されている場合には、回折層１１に残る痕跡によって、回折層１１を有する個人認証媒体が、真正の個人認証媒体ではないことが判断されやすい。
【００４７】
このように、個人認証媒体１０は、特定の個人に属する個人情報を含む積層体を備え、積層体は、吸収部２２による光の吸収と、回折要素のうち、回折層１１の表面１１ｓと対向する平面視において、吸収部２２と重なる部分から射出される回折光とによって個人情報を表示するように構成されている。
【００４８】
回折層１１を内部に含む個人認証媒体では、通常、所定の像を表示するように加工された回折層を個人認証媒体が備えている。そのため、互いに異なる個人を認証するための個人認証媒体であっても、互いに同じ像を表示する回折層を含むことが多い。こうした構成では、真正の個人認証媒体から回折層を取り出しさえすれば、真正の個人認証媒体と同じ像を形成することができる回折層を、偽造あるいは改竄された個人認証媒体に付すことが可能である。そのため、回折層によって、個人認証媒体の真贋を判断することが難しい。
【００４９】
これに対して、上述した個人認証媒体１０の備える回折層１１は、複数の回折単位３０が並ぶ構成であるため、回折層１１のみでは、回折光を外部に向けて射出するのみであり、吸収層１３に形成された吸収部２２と回折層１１とが揃って始めて、所定の像を形成することが可能である。
【００５０】
それゆえに、真正の個人認証媒体１０から取り出した回折層１１を、偽造あるいは改竄された個人認証媒体に貼り付けるのみでは、真正の個人認証媒体１０が表示する像と同等の像を表示することが可能な個人認証媒体を製造することはできない。結果として、上述した個人認証媒体１０によれば、個人認証媒体１０の偽造を難しくすることができる。
【００５１】
個人認証媒体１０は、さらに、第１基材１４、第２基材１５、および、第３基材１６を備えている。個人認証媒体１０において、第１基材１４と第２基材１５とが積み重なり、第２基材１５のうち、第１基材１４に接する面とは反対側の面が表面１５ｓであり、第２基材１５の表面１５ｓに吸収層１３が位置している。
【００５２】
吸収層１３の表面１３ｓと対向する平面視において、回折層１１は吸収層１３の表面１３ｓの一部に位置し、第３基材１６は、吸収層１３の表面１３ｓのうち、回折層１１によって覆われていない部分と、回折層１１の全体とを覆っている。第２基材１５の表面１５ｓのうち、第２基材１５の表面１５ｓと対向する平面視において、回折層１１と重ならない部分に、上述した印刷部１２が位置している。
【００５３】
第３基材１６は光透過性を有し、例えば透明である。第１基材１４も、第３基材１６と同様、光透過性を有し、例えば透明であるが、第１基材１４は光透過性を有しなくてもよい。第２基材１５は、例えば白色を有しているが、第２基材１５は白色以外の色を有してもよい。なお、第２基材１５の色は、吸収部２２の色とコントラスト差の大きい色であることが好ましく、回折層１１が表示する像の色、および、印刷部１２の色とコントラスト差の大きい色であることが好ましい。また、第２基材１５は、光透過性を有してもよい。
【００５４】
図３は、回折層１１の表面１１ｓと対向する平面視における回折層１１の一部平面構造であって、第１領域１１Ｒ１の一部平面構造を示している。なお、図３では、回折単位３０を構成する第１回折要素３１、第２回折要素３２、および、第３回折要素３３の区別を明確にする目的で、各回折要素にハッチングが付されている。
【００５５】
図３が示すように、各回折要素は、回折層１１の表面１１ｓと対向する平面視において、楕円形状を有している。吸収部２２の形成に用いられるレーザー光線は、レーザー光線の延びる方向と直交する方向に沿う断面の形状が、円形状または楕円形状であることが多い。そのため、各回折要素が楕円形状を有していれば、回折層１１の表面１１ｓと対向する平面視において、吸収部２２が有する形状を回折要素が有する形状とほぼ相似とすることが容易である。それゆえに、回折層１１の表面１１ｓと対向する平面視において、回折要素の面積に対して吸収部２２の面積が占める割合を調節しやすい。
【００５６】
各回折要素の形状は、他の全ての回折要素の形状と等しく、各回折要素は、１つの方向に沿って延びる楕円形状を有し、１つの方向と直交する方向に沿って、隣り合う回折要素に接しながら並んでいる。言い換えれば、回折層１１の表面１１ｓと対向する平面視において、回折層１１の全体には、複数の回折要素が敷き詰められている。
【００５７】
各回折単位３０において、第１回折要素３１、第２回折要素３２、および、第３回折要素３３が、１つの方向に沿ってこの順に並び、全ての回折単位３０において、第１回折要素３１、第２回折要素３２、および、第３回折要素３３は、同じ順番で並んでいる。
【００５８】
言い換えれば、回折層１１の表面１１ｓと対向する平面視では、回折層１１の全体にわたって、第１回折要素３１、第２回折要素３２、および、第３回折要素３３が、１つの方向に沿って順に繰り返し並んでいる。一方で、１つの方向と直交する方向では、同種の回折要素が、隣り合う回折要素に接しながら並んでいる。
例えば、複数の回折単位３０は、第１方向Ｄ１および第２方向Ｄ２に沿って並び、第１回折要素３１、第２回折要素３２、および、第３回折要素３３は、例えば第１方向Ｄ１に沿ってこの順に並んでいる。また、複数の第１回折要素３１が第２方向Ｄ２に沿って並び、複数の第２回折要素３２が第２方向Ｄ２に沿って並び、かつ、複数の第３回折要素３３が第２方向Ｄ２に沿って並んでいる。
【００５９】
回折単位３０は、１つの回折単位３０に含まれる第１回折要素３１、第２回折要素３２、および、第３回折要素３３の各々から射出される光が、互いに混合されて視認される程度の大きさを有している。
【００６０】
各回折要素は回折格子から構成され、第１回折要素３１、第２回折要素３２、および、第３回折要素３３の間では、各回折要素に含まれる回折格子の空間周波数が互いに異なっている。回折格子の空間周波数は、５００本／ｍｍ以上２５００本／ｍｍ以下とすることができる。より好ましくは、回折格子の空間周波数は、１０００本／ｍｍ以上２０００本／ｍｍ以下とすることができる。また、回折格子の深さは、５０ｎｍ以上１５０ｎｍ以下とすることができる。各回折要素において、空間周波数は回折要素の全体にわたって均一である。回折格子は、凹凸面、すなわち、微細な凹面と凸面から構成される単位構造が、所定の周期で並んだ構造から構成され、微細な凹面および凸面は、例えば回折要素が並ぶ方向と直交する方向に沿って直線状に延び、かつ、凹部と凸部とが、回折要素が並ぶ方向に沿って交互に並んでいる。
【００６１】
回折単位３０は、各回折要素の間における空間周波数における差異と、各回折要素に含まれる単位構造が繰り返される方向とを設定することによって、以下のように構成されている。すなわち、回折層１１は、第１回折要素３１から射出される赤色の回折光、第２回折要素３２から射出される緑色の回折光、および、第３回折要素３３から射出される青色の回折光が、観察側における所定の点である定点に向けて、同時に射出されるように構成されている。
【００６２】
回折格子の空間周波数とは、回折格子の縞を形成する間隔、言い換えれば、単位長さ当たりにおける単位構造の繰り返し数である。回折格子において空間周波数が変わると、観察側における所定の定点において、回折格子の視認される色、言い換えれば、回折格子が射出する光の色が変わる。
【００６３】
第１回折要素３１は、定点に向けて赤色の回折光を射出するような空間周波数を有し、第２回折要素３２は、定点に向けて緑色の回折光を射出するような空間周波数を有し、かつ、第３回折要素３３は、定点に向けて青色の回折光を射出するような空間周波数を有している。そのため、回折単位３０から射出された光は、赤色、緑色、および、青色が混色された白色を有した光である。
【００６４】
また、回折格子は、凹面と凸面とが並ぶ方向と、凹面の窪む方向、言い換えれば凸面の突き出る方向とによって規定される面に向けて回折光を射出する。そのため、回折格子では、単位構造が繰り返される方向が変わることによって、回折光の射出される方向が変わる。それゆえに、各回折要素から射出される回折光が、定点に対して同時に射出されるためには、各回折要素の間において、単位構造が繰り返される方向がほぼ等しいことが必要とされる。
【００６５】
第１回折要素３１、第２回折要素３２、および、第３回折要素３３の各々は、回折要素が並ぶ方向における寸法、および、回折要素が並ぶ方向と直交する方向における寸法の各々が、１５μｍ以上５０μｍ以下であることが好ましい。各寸法が１５μｍ以上であれば、各回折要素から射出される回折光の強度が、肉眼での観察でも認識できる程度に大きくなる。また、各寸法が５０μｍ以下であれば、回折層１１によって表示する像の解像度が粗くなることが抑えられる。
【００６６】
なお、上述したように、回折層１１は第３基材１６によって覆われているが、第３基材１６は光透過性を有した基材であるため、各回折要素から射出された光は、第３基材１６を介して、個人認証媒体１０の観察側に射出される。
【００６７】
図４は、回折層１１の表面１１ｓと対向する平面視における回折層１１の一部平面構造であって、第２領域１１Ｒ２の一部平面構造の一例を吸収部２２とともに示している。なお、図４では、回折単位３０を構成する第１回折要素３１、第２回折要素３２、および、第３回折要素３３の区別を明確にする目的で、各回折要素にハッチングが付されている。また、図４では、各回折要素と吸収部２２とが重なる構成を説明する便宜上、吸収部２２にドットが付されている。
【００６８】
図４が示すように、第２領域１１Ｒ２においても、第１領域１１Ｒ１と同様、複数の回折単位３０が敷き詰められている。回折層１１の表面１１ｓと対向する平面視において、第２領域１１Ｒ２に属する複数の回折単位３０のうち、少なくとも一部の回折単位３０に含まれる回折要素が、吸収部２２と重なっている。
【００６９】
上述したように、吸収部２２は、個人認証媒体１０の観察側から見て、回折層１１の下層である吸収層１３に位置しているため、個人認証媒体１０の観察者は、吸収部２２と重なる回折要素から射出される回折光を視認することができる。
【００７０】
複数の回折単位３０には、例えば、第１回折単位３０Ａ、第２回折単位３０Ｂ、および、第３回折単位３０Ｃが含まれ、３つの回折単位３０の間では、回折層１１の表面１１ｓと対向する平面視において、吸収部２２と重なる回折要素が異なっている。
【００７１】
第１回折単位３０Ａでは、３つの回折要素のうち、第３回折要素３３が吸収部２２と重なっている。回折層１１の表面１１ｓと対向する平面視において、吸収部２２は、第３回折要素３３の全体と重なる大きさ、かつ、形状を有している。すなわち、吸収部２２は、回折層１１の表面１１ｓと対向する平面視において、第３回折要素３３とほぼ相同な楕円形状を有している。
【００７２】
個人認証媒体１０に対して観察側から光が入射したとき、回折層１１に対して観察側から入射した光の一部は、回折単位３０にて回折された回折光として観察側に射出される。一方で、回折層１１に入射した光の残りの部分は、回折単位３０を透過する。回折層１１は透明であるため、回折層１１に入射した光において、回折層１１にて回折される光の光量が、回折層１１を透過する光の光量よりも小さい。
【００７３】
ここで、回折層１１の表面１１ｓと対向する平面視において、回折要素と吸収部２２とが重ならない構成では、回折層１１を透過した光の一部は、回折層１１と吸収層１３との間における屈折率の差などにより、回折層１１と吸収層１３との界面や吸収層１３中において反射あるいは散乱される。また、回折層１１を透過した光の他の一部は、吸収層１３と第２基材１５との間における屈折率の差などにより、吸収層１３と第２基材１５との界面や第２基材１５中において反射あるいは散乱される。
【００７４】
そのため、回折要素から観察側の定点に向けて射出された光は、これらの反射光あるいは散乱光とともに観察者の目に入るため、回折要素から射出された回折光の有する彩度が、回折光そのものが有する色彩の彩度よりも低くなる。
【００７５】
回折単位３０は、上述したように、３つの回折要素から射出された光が１つの混合された光として射出される程度の大きさを有している。また、回折単位３０に含まれるいずれの回折要素も吸収部２２と重ならなければ、各回折要素から射出される光における彩度が同程度になる。そのため、上述したように、１つの回折単位３０から射出される光の色は、赤色、緑色、および、青色が混合された白色になる。
【００７６】
これに対して、回折層１１の表面１１ｓと対向する平面視において、回折要素と吸収部２２とが重なる部分では、回折層１１を透過した光による反射光あるいは散乱光が、黒色を有する吸収部２２によって吸収される。そのため、回折要素から射出された回折光は、これらの不要な光が取り除かれた状態で、観察者によって観察される。それゆえに、吸収部２２と重なる回折要素から射出された回折光の彩度が、吸収部２２と重ならない回折要素から射出された回折光の彩度に比べて高くなる。結果として、回折単位３０から射出された光の色は、彩度の高められた回折光の色彩として視認される。
【００７７】
上述したように、第１回折単位３０Ａでは、回折層１１の表面１１ｓと対向する平面視において、第３回折要素３３のみが吸収部２２と重なっているため、第３回折要素３３が射出する回折光における青色の彩度が高まる。それゆえに、第１回折単位３０Ａから射出される光は、青色の光として視認される。
【００７８】
第２回折単位３０Ｂでは、回折層１１の表面１１ｓと対向する平面視において、３つの回折要素のうち、第２回折要素３２の一部が吸収部２２と重なっている。回折層１１の表面１１ｓと対向する平面視において、吸収部２２は、第２回折要素３２における中心を含む部分と重なり、第２回折要素３２とほぼ相似の楕円形状を有している。
【００７９】
第２回折要素３２のみが吸収部２２と重なっているため、第２回折要素３２が射出する回折光において緑色の彩度が高まる。それゆえに、第２回折単位３０Ｂから射出される光は、緑色の光として視認される。
【００８０】
ここで、吸収部２２が第２回折要素３２の全体に重なる大きさ、および、形状を有する構成では、第２回折要素３２から射出される回折光のほぼ全てにおいて、回折光の有する彩度が高められる。一方で、吸収部２２が第２回折要素３２の一部に重なる大きさ、および、形状を有する構成では、第２回折要素３２から射出される回折光のうち、吸収部２２と重なる部分から射出される回折光において、彩度が高められる。
【００８１】
言い換えれば、回折層１１の表面１１ｓと対向する平面視において、回折要素の面積に占める吸収部２２の面積の割合に応じて、その回折要素から射出される光が有する彩度が高められる度合いが決まる。より具体的には、回折要素の面積に占める吸収部２２の面積の割合が大きいほど、その回折要素から射出される光が有する彩度が高められる度合いが大きくなる。反対に、回折要素の面積に占める吸収部２２の面積の割合が小さいほど、その回折要素から射出される光が有する彩度が高められる度合いが小さくなる。
【００８２】
第３回折単位３０Ｃでは、回折層１１の表面１１ｓと対向する平面視において、３つの回折要素のうち、第１回折要素３１と第３回折要素３３との各々が吸収部２２と重なっている。
【００８３】
第１回折要素３１に重なる吸収部２２は、第１回折要素３１の全体と重なる大きさ、および、形状を有している。すなわち、吸収部２２は、第１回折要素３１とほぼ相同な楕円形状を有している。また、第３回折要素３３に重なる吸収部２２は、第３回折要素３３の全体と重なる大きさ、および、形状を有している。すなわち、吸収部２２は、第３回折要素３３とほぼ相同な楕円形状を有している。
【００８４】
こうした第３回折単位３０Ｃでは、第１回折要素３１から射出される回折光における赤色の彩度と、第３回折要素３３から射出される回折光における青色の彩度とが高められる。そのため、第３回折単位３０Ｃから射出される回折光は、赤色の回折光と青色の回折光とが混合された色、すなわち紫色を有した光として視認される。
【００８５】
このように、１つの回折単位３０が有する３つの回折要素のうち、複数の回折要素が吸収部２２と重なる構成によれば、回折単位３０から射出される回折光の色は、各回折要素から射出された回折光の色が混色された色として視認される。
【００８６】
また、上述したように、各回折要素から射出される回折光の彩度が高められる度合いは、回折層１１の表面１１ｓと対向する平面視において、回折要素の面積に占める吸収部２２の面積の割合によって決まる。そのため、複数の回折要素が吸収部２２と重なる構成において、各回折要素の面積に占める吸収部２２の面積の割合を、複数の回折要素間で異ならせることによって、回折単位３０の中で、吸収部２２と重なる回折要素が同じであっても、回折単位３０から射出される回折光の色を変えることもできる。
【００８７】
しかも、回折単位３０が、赤色の回折光を射出する第１回折要素３１、緑色の回折光を射出する第２回折要素３２、および、青色の回折光を射出する第３回折要素３３から構成されている。そのため、赤色の光、緑色の光、および、青色の光の加法混色によって、回折単位３０の射出する光の色を様々な色とすることができる。
【００８８】
［個人認証媒体の製造方法］
図５から図８を参照して、個人認証媒体の製造方法を説明する。
図５が示すように、個人認証媒体１０を製造する際には、個人認証媒体１０の回折層１１を含む転写箔４０を準備する。
【００８９】
転写箔４０は、支持層４１と回折層１１とを備え、回折層１１は、支持層４１に対して剥離可能な強度で取り付けられている。回折層１１は、回折部２１を含む凹凸構造層１１ａと、接着層１１ｂとを備え、凹凸構造層１１ａのうち、支持層４１に接する面が、上述した回折層１１の表面１１ｓに相当し、支持層４１に接する面とは反対側の面が、回折部２１を構成する回折格子としての凹凸面である。
【００９０】
なお、転写箔４０は、支持層４１、凹凸構造層１１ａ、および、接着層１１ｂの他に、２つの層の間に位置する中間層を備えてもよい。また、回折層１１は、回折部２１として機能する凹凸面での光学的な効果を高める反射層を備えてもよい。反射層は、回折層１１の全面に設けられてもよく、部分的に設けられてもよい。反射層を部分的に設ける場合には、例えばメッシュ状の反射層とすることができる。反射層は光を透過する薄膜であればよい。反射層の形成材料には、無機材料を用いることができる。無機材料には、無機化合物を用いることができる。無機化合物としては、金属や、金属化合物を用いることができる。金属化合物としては例えば、ＺｎＳ、および、ＴｉＯ２などを用いることが可能である。なお、回折層１１がこうした反射層を備えていない構成であっても、凹凸構造層１１ａと接着層１１ｂとの間での屈折率の差によって、凹凸構造層１１ａと接着層１１ｂとの界面、すなわち回折部２１にて光を反射させることは可能である。
【００９１】
こうした転写箔４０を形成する際には、まず、支持層４１を準備する。支持層４１は樹脂製のフィルムであることが好ましく、支持層４１の形成材料は、例えば、ＰＥＴ（ポリエチレンテレフタレート）、ＰＥＮ（ポリエチレンナフタレート）、および、ＰＰ（ポリプロピレン）などでればよい。このうち、凹凸構造層１１ａを形成するときに、支持層４１にかかる熱や、支持層４１に接する溶剤などによる変形や変質の少ない材料を支持層４１の形成材料として用いることが好ましい。
【００９２】
なお、紙、合成紙、プラスチック複層紙、および、樹脂含浸紙などを支持層４１として用いることも可能である。支持層４１の厚さは、４μｍ以上であることが好ましい。支持層４１の厚さが４μｍ以上であれば、支持層４１を取り扱う上で好ましい程度に高い物理的な強度を支持層４１が有することができ、支持層４１が取り扱いやすくなる。支持層４１の厚さは、１２μｍ以上５０μｍ以下であることがより好ましい。
【００９３】
次いで、支持層４１の１つの面に凹凸構造層１１ａを形成する。凹凸構造層１１ａは、例えば、以下の工程を経て形成される。凹凸構造層１１ａの形成材料を含む塗液を準備し、塗液を支持層４１の１つの面に塗布して、塗膜を形成する。その後、回折部２１として機能する凹凸面を形成するための原版を塗膜に押し当てる。そして、塗膜に対して原版を押し当てた状態で、塗膜を硬化させることによって、凹凸構造層１１ａを得ることができる。
【００９４】
凹凸構造層１１ａの形成材料は、例えば、熱可塑性樹脂や熱硬化性樹脂である。具体的には、熱可塑性樹脂として、アクリル系樹脂、エポキシ系樹脂、セルロース系樹脂、および、ビニル系樹脂などが挙げられ、熱硬化性樹脂として、ウレタン樹脂、メラミン系樹脂、エポキシ樹脂、および、フェノール系樹脂などが挙げられる。
【００９５】
また、凹凸構造層１１ａの形成材料には、フォトポリマーを用いることもできる。フォトポリマーとして、例えば、エチレン性不飽和結合、または、エチレン性不飽和基を持つモノマー、オリゴマー、および、ポリマーなどを用いることができる。モノマーとして、例えば、１，６−ヘキサンジオール、ネオペンチルグリコールジアクリレート、トリメチロールプロパントリアクリレート、ペンタエリスリトールトリアクリレート、ペンタエリスリトールテトラアクリレート、ジペンタエリスリトールペンタアクリレート、および、ジペンタエリスリトールヘキサアクリレートなどが挙げられる。また、オリゴマーとして、エポキシアクリレート、ウレタンアクリレート、および、ポリエステルアクリレートなどが挙げられる。また、ポリマーとして、ウレタン変性アクリル樹脂、および、エポキシ変性アクリル樹脂などが挙げられる。なお、上述した材料は、フォトポリマーの一例であり、これら以外のフォトポリマーを用いることも可能である。
【００９６】
次いで、凹凸構造層１１ａの回折部２１に接着層１１ｂを形成する。接着層１１ｂは、転写箔４０に含まれる回折層１１を被転写層である吸収層１３に貼り付けるための層である。接着層１１ｂは、例えば、ポリエステル樹脂、ウレタン樹脂、アクリル樹脂、および、塩化ビニル樹脂などを主成分とする接着剤によって形成することができる。すなわち、接着層１１ｂの形成材料は、ポリエステル樹脂、ウレタン樹脂、アクリル樹脂、および、塩化ビニル樹脂などであればよい。接着層１１ｂの厚さは、用途に応じて適宜選択すればよいが、通常、０．１μｍ以上１０μｍ以下程度であればよく、１μｍ以上５μｍ以下であることが好ましい。
【００９７】
なお、回折層１１が凹凸構造層１１ａの回折部２１に反射層を有する構成であれば、回折部２１に接着層１１ｂを形成する前に、回折部２１に対して反射層を形成すればよい。例えば、上述したＺｎＳ、および、ＴｉＯ２などから形成される反射層は、スパッタ法、および、真空蒸着法などを用いて形成することができる。
【００９８】
そして、第１基材１４、第２基材１５、および、第３基材１６と、吸収層１３とを準備する。第１基材１４、第２基材１５、および、第３基材１６には、樹脂製のフィルムを用いることができる。樹脂製のフィルムの形成材料には、熱可塑性樹脂を用いることができる。熱可塑性樹脂としては、例えば、ＰＥＴ（ポリエチレンテレフタレート）、ＰＥＮ（ポリエチレンナフタレート）、ＰＰ（ポリプロピレン）、ポリ塩化ビニル樹脂（ＰＶＣ）、非晶性ポリエステル樹脂（ＰＥＴ−Ｇ）、および、ポリカーネート樹脂（ＰＣ）などを用いることができる。
【００９９】
特に、従来から各種のカードの基材やパスポートの基材などに用いられているポリ塩化ビニル樹脂（ＰＶＣ）、非晶性ポリエステル樹脂（ＰＥＴ−Ｇ）、および、ポリカーネート樹脂（ＰＣ）を各基材の形成材料として用いると、熱や圧力などによって積層体を一体化する加工が容易になる点で好ましい。
【０１００】
なお、白色を有する第２基材１５は、これらの形成材料に対して、白色の顔料および染料などが添加されていればよい。
【０１０１】
吸収層１３の形成材料には、ポリカーボネートに対して、所定の波長を有したレーザー光線を吸収するエネルギー吸収体が添加された材料を用いることができる。吸収層１３には、例えば、ＳＡＢＩＣ社のＬＥＸＡＮシリーズＳＤ８Ｂ９４などが挙げられる（ＬＥＸＡＮは登録商標）。
【０１０２】
第１基材１４、第２基材１５、第３基材１６、および、吸収層１３の厚さは、５０μｍ以上４００μｍ以下であることが好ましい。これらの厚さが５０μｍ以上であることによって、これら基材および層を取り扱う上で好ましい程度に高い物理的な強度を、各基材および層が有することができる。そのため、第１基材１４、第２基材１５、第３基材１６、および、吸収層１３が取り扱いやすくなる。特に、第２基材１５が５０μｍ以上の厚さを有することによって、第２基材１５に印刷部１２を形成するときに、第２基材１５にしわなどが生じることが抑えられる。
【０１０３】
また、第１基材１４、第２基材１５、第３基材１６、および、吸収層１３の厚さが４００μｍ以下であることによって、個人認証媒体１０を製造する際に、これら基材や層自体が有する厚さのばらつきや、たわみの影響を抑えることができる。なお、第１基材１４、第２基材１５、第３基材１６、および、吸収層１３の厚さは、７５μｍ以上１００μｍ以下であることがより好ましい。
【０１０４】
第２基材１５の１つの面には、予め印刷部１２を形成することが好ましい。印刷部１２は、例えば、上述した個人情報などの所定の情報を含む要素である。印刷部１２が有する色は任意であってよく、また、印刷部１２が含む情報は、上述した文字や数字による情報に限らず、所定の記号や絵柄などであってもよい。
【０１０５】
印刷部１２の形成材料は、例えばインキである。インキには、印刷方法に応じて、オフセットインキ、活版インキ、および、グラビアインキなどを用いることができる。また、インキが有する組成によってインキを分類した場合には、印刷部１２の形成材料として、例えば、樹脂インキ、油性インキ、および、水性インキなどを用いることができる。さらには、インキを乾燥させる方法の違いに応じて、印刷部１２の形成材料には、例えば、酸化重合型インキ、浸透乾燥型インキ、蒸発乾燥型インキ、および、紫外線硬化型インキなどを用いることができる。
【０１０６】
また、印刷部１２の形成材料には、機能性インキを用いてもよい。機能性インキを用いて形成した印刷部１２では、印刷部１２に対して光を照射する角度、および、印刷部１２を観察する角度などに応じて印刷部１２の有する色が変わる。機能性インキとして、例えば、光学的変化インキ（Ｏｐｔｉｃａｌ  Ｖａｒｉａｂｌｅ  Ｉｎｋ）、カラーシフトインキ、および、パールインキなどが挙げられる。
【０１０７】
あるいは、印刷部１２は、トナーを用いた電子写真法によって形成してもよい。この場合には、例えば、帯電性を有したプラスチック粒子に対して、黒鉛および顔料などの色粒子を付着させたトナーを準備する。そして、プラスチック粒子の帯電に起因する静電気を用いて、トナーを被印刷体である第２基材１５に転写し、転写したトナーを加熱することによって、第２基材１５に定着させる。これにより、印刷部１２を形成することができる。
【０１０８】
図６が示すように、吸収層１３の１つの面に、転写箔４０が有する回折層１１を転写する。このとき、吸収層１３に対して、回折層１１が有する接着層１１ｂを接触させた状態で、支持層４１のうち、回折層１１に接する面とは反対側の面を吸収層１３に向けて押し付けながら加熱することによって、接着層１１ｂを吸収層１３に接着させる。そして、凹凸構造層１１ａから支持層４１を剥がすことによって、吸収層１３に対して回折層１１を転写する。
【０１０９】
図７が示すように、第１基材１４、印刷部１２を有する第２基材１５、吸収層１３、回折層１１、および、第３基材１６が積層された積層体を形成する。このとき、第２基材１５と吸収層１３とを対向させ、かつ、第１基材１４、第２基材１５、吸収層１３、回折層１１、および、第３基材１６をこの順に積層した状態で、所定の熱と圧力とを掛けることによって、複数の層をラミネートする。
【０１１０】
図８が示すように、回折層１１の表面１１ｓと対向する平面視において、吸収層１３のうち、所定の回折要素と重なる部分に対して、レーザー印字装置５０を用いてレーザー光線ＬＢを照射する。これにより、吸収層１３の一部に吸収部２２を形成することによって、図２を用いて先に説明した個人認証媒体１０を得ることができる。
【０１１１】
［実施例］
上述した個人認証媒体の実施例を説明する。
２５μｍの厚さを有するＰＥＴフィルム（ルミラー２５Ｔ６０、東レ株式会社）（ルミラーは登録商標）を支持層として準備し、グラビア印刷法を用いて、下記の組成を有する凹凸構造層用インキを２μｍの厚さで支持層に塗布した。そして、凹凸構造層用インキに含まれる溶剤を揮発させて除去した後、凹凸レリーフを有する金属円筒板を用いて、凹凸構造層用インキに対してロール形成加工を行った。これにより、回折部を有する凹凸構造層を形成した。
【０１１２】
なお、凹凸レリーフとして、複数の回折単位であって、各回折単位において、第１回折要素、第２回折要素、および、第３回折要素がこの順に並んだ回折単位を形成するための原版を用いた。また、ロール形成加工において、プレス圧力を２Ｋｇｆ／ｃｍ２とし、プレス温度を２４０℃とし、プレススピードを１０ｍ／ｍｉｎとして、金属円筒板を凹凸構造層用インキに押し当てた。
【０１１３】
そして、回折部に対して、真空蒸着法を用いて透明な反射層を形成した。なお、反射層の形成材料をＺｎＳとし、反射層の厚さを６００Åとした。次いで、グラビア印刷法を用いて、下記の組成を有する接着層用インキを４μｍの厚さで塗布した。接着層用インキに含まれる溶剤を揮発させて除去することによって、接着層を形成した。これにより、回折層を含む転写箔を得た。
【０１１４】
［凹凸構造層用インキ］
高分子メタクリル（ＰＭＭＡ）樹脂      ２質量部
低粘性ニトロセルロース              １２質量部
シクロヘキサノン                    １０質量部
【０１１５】
［接着層用インキ］
ポリエステル樹脂                    ２０質量部
メチルエチルケトン                  ４０質量部
トルエン                            ５０質量部
【０１１６】
レーザー光線の照射によって発色するポリカーボネート基材を吸収層として準備した。ホットスタンプ転写機を用いて転写箔の有する回折層を吸収層に接着し、支持層を回折層から取り除いた。ポリカーボネート基材として、１００μｍの厚さを有するＬＥＸＡＮ  ＳＤ８Ｂ９４（ＳＡＢＩＣ社製）を用いた。なお、ホットスタンプ転写機の温度を１２０℃とし、ホットスタンプ転写機によって転写箔を吸収層に押し付ける時間を１秒間とした。
【０１１７】
第１基材、第２基材、回折層が転写された吸収層、および、第３基材をこの順に積層し、所定の熱と圧力とを掛けた状態で、これらをラミネートした。ラミネートにおいて、温度を２００℃とし、圧力を８０Ｎ／ｃｍ２とし、ラミネートの時間を２５分間とした。そして、ラミネートによって形成された積層体の一部を、回折層の表面と対向する平面視において、カード状を有するように切り抜いた。
【０１１８】
なお、第１基材として、１００μｍの厚さを有するＬＥＸＡＮ  ＳＤ８Ｂ１４（ＳＡＢＩＣ社製）を用い、第２基材として、４００μｍの厚さを有するＬＥＸＡＮ  ＳＤ８Ｂ２４（ＳＡＢＩＣ社製）を用いた。また、第３基材として、２００μｍの厚さを有するＬＥＸＡＮ  ＳＤ８Ｂ１４（ＳＡＢＩＣ社製）を用いた。
【０１１９】
１０６４ｎｍの波長を有したレーザー光線を射出するファイバーレーザー型のレーザー印字装置を用いて、積層体の吸収層にレーザー光線を照射した。回折層の表面と対向する平面視において、複数の回折要素のうちのいずれかと１つずつ重なるように、複数の吸収部を形成した。このとき、観察側の定点に対して、複数の回折要素と、複数の吸収部とによって、所定の色を有した上半身像が表示されるように、複数の吸収部を吸収層に形成した。これにより、個人認証媒体を得た。
【０１２０】
観察側の定点から個人認証媒体を観察したところ、所定の色を有した上半身像が表示されることが認められた。また、定点以外から個人認証媒体を観察したところ、所定の色を有した上半身像が表示されないこと、すなわち、個人認証媒体の表示する上半身像は、インキなどを用いた印刷によって得られる像とは異なる光学的な効果を有することが認められた。また、個人認証媒体を破壊し、吸収層から回折層を剥がしたところ、所定の色を有した上半身像が表示されなくなることが認められた。
【０１２１】
以上説明したように、積層体、個人認証媒体、および、積層体の製造方法の第１実施形態によれば、以下に列挙する効果を得ることができる。
（１）吸収部２２に重なる回折要素から射出される光において、その回折要素以外の回折要素から射出される光に比べて、回折要素の射出する回折光における彩度が高まるため、個人認証媒体１０は、彩度が高い光によって形成される像を表示することができる。それゆえに、回折層１１の形状に対する像の形状における自由度を高めることができる。
【０１２２】
（２）回折層１１と吸収層１３とを対向させた状態で、吸収層１３に対して吸収部２２を形成することができる。そのため、吸収層１３に対して吸収部２２を形成した後に、回折層１１に対する吸収層１３の位置合わせを行う構成と比べて、回折層１１が備える回折要素に対する吸収部２２の位置の精度を高めることが可能になる。
【０１２３】
（３）吸収部２２が吸収層１３の表面１３ｓよりも内側に位置する構成と比べて、吸収層１３のうち、吸収部２２が位置する部分では、回折層１１を透過した光が、回折層１１と吸収層１３との界面において反射あるいは散乱することが抑えられる。それゆえに、回折層１１の表面１１ｓと対向する平面視において、吸収部２２と重なる回折要素が射出する回折光において、彩度がより高まりやすくなる。結果として、個人認証媒体１０の表示する像の形状がより鮮明になる。
【０１２４】
（４）回折単位３０が、赤色の回折光を射出する第１回折要素３１、緑色の回折光を射出する第２回折要素３２、および、青色の回折光を射出する第３回折要素３３から構成される。そのため、赤色の光、緑色の光、および、青色の光の加法混色によって、回折単位３０の射出する光の色を様々な色とすることができる。
【０１２５】
（５）回折層１１の表面１１ｓと対向する平面視において、吸収部２２が有する形状を回折要素が有する形状とほぼ相似とすることが容易である。それゆえに、回折層１１の表面１１ｓと対向する平面視において、回折要素の面積に対して吸収部２２の面積が占める割合を調節しやすい。
【０１２６】
［第１実施形態の変形例］
なお、上述した第１実施形態は、以下のように適宜変更して実施することができる。
・個人認証媒体１０の表示する個人情報は、所有者の上半身像に限らず、国籍、生年月日、および、氏名などの情報であってもよく、これらの情報は、文字や絵柄などから構成されていてもよい。
【０１２７】
・各回折要素の形状は、円形状であってもよい。こうした構成であっても、各回折要素の形状が楕円形状である構成とほぼ同等の効果を有することができる。すなわち、上述した（５）と同等の効果を得ることができる。
【０１２８】
・各回折要素の形状は、円形状または楕円形状以外の形状であって、例えば、矩形状などであってもよい。また、第１回折要素３１、第２回折要素３２、および、第３回折要素３３は、互いに同じ形状、および、同じ大きさでなくてもよく、形状は相似である一方で、互いに異なる大きさを有してもよいし、互いに異なる形状、かつ、互いに異なる大きさを有してもよい。なお、回折層１１の表面１１ｓと対向する平面視において、各回折要素の面積が回折単位３０の面積に占める割合が大きいほど、その回折要素から射出される回折光の強度が高まる。
【０１２９】
・回折単位３０には、空間周波数の互いに異なる２つの回折要素が含まれてもよいし、空間周波数の互いに異なる４つ以上の回折要素が含まれてもよい。あるいは、回折単位３０は、特定の空間周波数を有する１つの回折要素から構成されてもよい。また、各回折要素の空間周波数は、赤色、緑色、および、青色の回折光を射出するような空間周波数でなくてもよく、その他の色を有した回折光を射出するような空間周波数でもよい。こうした構成であっても、回折層１１の表面１１ｓと対向する平面視において、吸収部２２に重なる回折要素から射出される回折光によって、個人認証媒体の表示する像の形状が形成されるため、上述した（１）と同等の効果を得ることはできる。
【０１３０】
・吸収部２２の有する色は、黒色に限らず、所定の色相を有した他の色であって、可視光の少なくとも一部を吸収することの可能な色であってもよい。こうした構成であっても、吸収部が可視光を吸収する以上は、上述した（１）に準じた効果を少なからず得ることはできる。
【０１３１】
・吸収部２２は、吸収層１３の内部であって、吸収層１３の表面１３ｓと裏面１３ｒとに露出しない部位に位置してもよいし、吸収層１３の裏面１３ｒに露出し、かつ、吸収層１３の厚さ方向において、吸収層１３の表面１３ｓよりも裏面１３ｒ寄りの部位まで延びていてもよい。あるいは、吸収部２２は、吸収層１３の表面１３ｓと裏面１３ｒとの両方に露出し、かつ、吸収層１３の表面１３ｓから裏面１３ｒまでにわたって位置していてもよい。
【０１３２】
・吸収層１３はレーザー光線の照射によって発色する層でなくてもよい。こうした構成では、吸収部は、例えばインクやトナーによって形成されればよく、インクやトナーは、可視光の少なくとも一部を吸収することが可能な色を有していればよい。こうした構成であっても、回折層１１の表面１１ｓと対向する平面視において、吸収部と重なる回折要素から射出された光によって、所定の像が形成されるため、上述した（１）と同等の効果を得ることはできる。
【０１３３】
・回折層１１と吸収層１３との間には、光透過性を有する他の層が位置してもよい。こうした構成であっても、回折層１１を透過した光が吸収層１３にまで到達するため、上述した（１）と同等の効果を得ることはできる。
【０１３４】
・吸収部２２は、回折層１１の表面１１ｓと対向する平面視において、回折要素とは異なる形状を有してもよい。こうした構成であっても、吸収部と重なる回折要素から射出された光によって、所定の像が形成されるため、上述した（１）と同等の効果を得ることはできる。
【０１３５】
・吸収層１３には、回折層１１の表面１１ｓと対向する平面視において、回折要素以外の部分と重なる部分に、可視光の少なくとも一部を吸収する吸収部を有してもよい。こうした吸収部によれば、各回折要素から射出される回折光が、隣り合う回折要素から射出された回折光と混じり合うことを抑えることができる。また、回折要素以外の部分から個人認証媒体１０の外部に射出される光を抑えることができるため、回折単位３０から射出される光が有する彩度が低くなることが抑えられる。
【０１３６】
・図９および図１０を参照して、各回折要素を構成する回折格子を説明する。なお、図９および図１０には、各回折要素の一例として、回折層１１の表面１１ｓと対向する平面視において矩形状を有する回折要素が示され、吸収部２２の一例として、回折層１１の表面１１ｓと対向する平面視において矩形状を有する吸収部２２が示されている。
【０１３７】
図９が示すように、各回折要素における回折格子は、１つの方向に沿って延びる溝である格子パターンが、１つの方向と直交する方向に沿って繰り返された構成でもあり、１つ方向は例えば第１方向Ｄ１であり、１つの方向と直交する方向が第２方向Ｄ２である。また、空間周波数は、単位長さ当たりの格子パターンの数でもある。なお、図９および図１０では、回折格子が有する格子パターンＧＰが実線で示されている。
【０１３８】
上述したように、第１回折要素３１は赤色の光を射出するような空間周波数を有し、第２回折要素３２は緑色の光を射出するような空間周波数を有し、第３回折要素３３は青色の光を射出するような空間周波数を有している。そのため、３つの回折要素において、第１回折要素３１の空間周波数が最も小さく、第３回折要素３３の空間周波数が最も大きく、第２回折要素３２の空間周波数が、第１回折要素３１の空間周波数と第３回折要素３３の空間周波数との間の値である。
【０１３９】
図１０が示すように、各回折要素が有する格子パターンＧＰは、第１方向Ｄ１のみに沿って延びる溝でなくてもよい。例えば、各格子パターンＧＰは、第１格子要素ＧＰ１、第２格子要素ＧＰ２、および、第３格子要素ＧＰ３から構成され、第１方向Ｄ１に沿って３つの要素がこの順に並んでいる。格子パターンＧＰにおいて、第２格子要素ＧＰ２は第１方向Ｄ１に沿って延びる一方で、第１格子要素ＧＰ１および第３格子要素ＧＰ３は、それぞれ第１方向Ｄ１と交差する方向に沿って延びている。より詳しくは、第１格子要素ＧＰ１と第３格子要素ＧＰ３とは、第２方向Ｄ２に沿って延びる対称軸に対して互いに線対称な方向に沿って延びている。
【０１４０】
各回折要素において、複数の第１格子要素ＧＰ１は互いに平行な方向に沿って延び、かつ、第２方向Ｄ２に沿って各回折要素に固有の空間周波数を満たすように並んでいる。また、複数の第３格子要素ＧＰ３は互いに平行な方向に沿って延び、かつ、第２方向に沿って各回折要素に固有の空間周波数を満たすように並んでいる。
【０１４１】
回折格子では、格子パターンに直交する方向に沿って延びる平面上に回折光が射出されるため、第１格子要素ＧＰ１が射出する回折光の射出方向と、第２格子要素ＧＰ２が射出する回折光の射出方向と、第３格子要素ＧＰ３が射出する回折光の射出方向とは互いに異なっている。
【０１４２】
これにより、観察者が、個人認証媒体１０の表面１０ｓにおける法線方向に対して傾きを有する方向から個人認証媒体１０を視認したときにも、各回折要素から射出される光が観察者によって視認されやすくなる。また、第２格子要素ＧＰ２が第１方向Ｄ１に対して傾きを有する方向に沿うように回折層１１が吸収層１３に転写されたときにも、個人認証媒体１０の表面１０ｓにおける法線方向を含み、かつ、第２方向Ｄ２に沿って延びる平面には、第１格子要素ＧＰ１または第３格子要素ＧＰ３が射出する回折光が到達しやすい。そのため、第２格子要素ＧＰ２の延びる方向が第１方向Ｄ１と交差する方向であるときにも、個人認証媒体１０の表面１０ｓにおける法線方向から個人認証媒体１０を視認する観察者が、各回折要素の射出した回折光を視認しやすくなる。
【０１４３】
・回折要素を構成する回折格子は、回折格子を構成する格子パターンが延びる方向と直交する断面形状が矩形波状であるラミナー回折格子であってもよいし、断面形状が鋸歯状であるブレーズド回折格子であってもよいし、断面形状が正弦波状であるホログラフィック回折格子であってもよい。
【０１４４】
［第２実施形態］
図１１から図１４を参照して、本発明の積層体、個人認証媒体、および、積層体の製造方法を具体化した第２実施形態を説明する。第２実施形態は、第１実施形態と比べて、積層体の一例である個人認証媒体が、検出装置によって位置が検出される被検出部を有する点が異なっている。そのため、以下では、こうした相違点を詳しく説明することに加えて、第２実施形態のうち、第１実施形態と共通する構成には、第１実施形態と同じ符号を付すことによって、その詳しい説明を省略する。また、以下では、積層体の一例としての個人認証媒体の構成、および、積層体の製造方法の一例としての個人認証媒体の製造方法を順に説明する。
【０１４５】
［個人認証媒体の構成］
図１１および図１２を参照して、個人認証媒体の構成を説明する。
図１１が示すように、個人認証媒体６０は、第１実施形態の個人認証媒体１０と同様、二次元的に広がる板形状を有し、同じく二次元的に広がる表面６０ｓを有している。表面６０ｓと対向する平面視において、個人認証媒体６０の一部に回折層６１が位置している。
【０１４６】
回折層６１は、光を射出する被検出部６２を含み、被検出部６２は、個人認証媒体６０の表面６０ｓ、言い換えれば回折層６１の表面６１ｓと対向する平面視における位置が検出装置によって検出されるように構成された要素である。被検出部６２は、被検出部６２の位置を被検出部６２から射出される光を用いて検出装置が検出するように構成されている。
【０１４７】
そのため、回折層６１と吸収層１３とが対向する状態で吸収層１３に対してレーザー光線を照射する場合に、回折層６１が備える被検出部６２の位置を用いて、吸収層１３のうち、レーザー光線を照射する部位を決めることができる。
【０１４８】
回折層６１は楕円形状を有し、第１領域６１Ｒ１、第２領域６１Ｒ２、および、第３領域６１Ｒ３から構成されている。回折層６１では、表面６０ｓと対向する平面視において、第２領域６１Ｒ２の周りを第１領域６１Ｒ１が取り囲み、第１領域６１Ｒ１の周りを第３領域６１Ｒ３が取り囲んでいる。第１領域６１Ｒ１は、第１実施形態の第１領域１１Ｒ１に相当し、第２領域６１Ｒ２は第１実施形態の第２領域１１Ｒ２に相当する。なお、回折層６１は、表面６０ｓと対向する平面視において、多角形状などの楕円形状以外の形状を有してもよい。
【０１４９】
第３領域６１Ｒ３には、複数の被検出部６２が位置し、具体的には４つの被検出部６２が位置している。４つの被検出部６２は、第２領域６１Ｒ２を取り囲むように位置している。各被検出部６２は、星形状を有している。
【０１５０】
なお、被検出部６２の数は１つ以上であれば任意であり、被検出部６２の数が多いほど、被検出部６２を用いた位置検出の精度は高くなる。ただし、個人認証媒体６０の大きさには、通常、制限があるため、回折層６１の大きさにも制限がある。それゆえに、被検出部６２の数が多いほど、回折層６１に占める第２領域６１Ｒ２の面積、すなわち、吸収部を形成することの可能な面積が小さくなる。こうした理由から、回折層６１に占める第２領域６１Ｒ２の面積が小さくなることを抑える上では、被検出部６２の数は、１つまたは２つであることが好ましい。
【０１５１】
各被検出部６２において、個人認証媒体６０の表面６０ｓに沿う１つの方向での寸法の最大値と、表面６０ｓに沿う方向であって、かつ、１つの方向と直交する方向での寸法の最大値とは、０．１ｍｍ以上５ｍｍ以下であることが好ましい。これら寸法の最大値が０．１ｍｍ以上であれば、被検出部６２が検出装置によって検出されやすくなり、これら寸法の最大値が５ｍｍ以下であれば、回折層６１に占める第２領域６１Ｒ２の面積、すなわち、吸収部を形成することの可能な面積が過剰に小さくなることが抑えられる。
【０１５２】
図１２は、図１１のＩＩ−ＩＩ線に沿う個人認証媒体６０の断面構造を示している。なお、図１２では、図示の便宜上、個人認証媒体６０の厚さ、および、個人認証媒体６０の大きさに占める回折層６１の大きさが誇張されている。また、図１２では、回折層６１が備える回折要素の数を大幅に減らした状態で、個人認証媒体６０が図示され、回折層６１が備える回折部、および、被検出部を示す便宜上、回折層６１に対するハッチングが省略されている。
【０１５３】
図１２が示すように、個人認証媒体６０は、第１実施形態の個人認証媒体１０と同様、第１基材１４、第２基材１５、吸収層１３、回折層６１、および、第３基材１６を備えている。
【０１５４】
被検出部６２は、微細な凹凸を有した凹凸面、言い換えればレリーフ面から構成されている。被検出部６２は、所定の光学的な効果を発現する光学素子である。被検出部６２は、光を回折する回折素子、光の反射を抑制する反射抑制素子、光を等方的に散乱する等方性散乱素子、光を異方的に散乱する異方性散乱素子、光を屈折させるレンズ素子、および、所定の偏光を選択的に反射する偏光反射素子から構成される群から選択される少なくとも１つであればよい。これにより、各光学素子が射出する光の特性に基づいて、被検出部６２の位置を検出することができる。
【０１５５】
このうち、回折素子は反射型の回折格子から構成され、観察側の所定の定点に向けて、所定の波長を有した回折光を射出する素子である。反射抑制素子は、例えば、可視光の波長以下のピッチで繰り返される凹凸面から構成され、反射抑制素子の界面での反射を抑えることで、反射抑制素子に入射した光のほとんどを透過する素子である。
【０１５６】
等方性散乱素子は、例えば、複数の凹面あるいは凸面が、回折層６１の表面６１ｓと対向する平面視において、不規則に並んだ凹凸面から構成されている。一方で、異方性散乱素子は、例えば、複数の凹面あるいは凸面が、回折層６１の表面６１ｓと対向する平面視において、所定の規則に沿って並ぶ凹凸面から構成されている。
【０１５７】
レンズ素子は、光を屈折させることによって、光を発散あるいは収束させる素子である。偏光反射素子は、例えば、偏光反射素子に入射した光に含まれる偏光のうち、Ｐ偏光あるいはＳ偏光のいずれか一方のみを選択的に反射する素子である。
【０１５８】
被検出部６２が、回折素子および異方性散乱素子であるときには、回折部２１が回折光を射出する方向と、被検出部６２が回折光あるいは散乱光を射出する方向とが、互いに異なる方向であることが好ましい。すなわち、被検出部６２は、回折部２１が観察側の上述した定点に向けて回折光を射出するときに、観察側のうち、定点とは異なる点に向けて回折光あるいは散乱光を射出するように構成されていることが好ましい。
【０１５９】
また、被検出部６２が、光を収束させるレンズ素子であるときには、回折部２１が回折光を射出する方向と、被検出部６２が光を収束させる方向とが、互いに異なる方向であることが好ましい。すなわち、被検出部６２は、回折部２１が定点に向けて回折光を射出するときに、観察側のうち、定点とは異なる点に対して、光を収束させるように構成されていることが好ましい。
【０１６０】
こうした構成によれば、観察者が個人認証媒体６０を観察するときに、回折部２１から射出される光と同時に、被検出部６２から射出される光を視認することが抑えられる。これにより、被検出部６２から射出される光のために、回折部２１から射出される光が、観察者によって視認されにくくなることが抑えられる。
【０１６１】
［個人認証媒体の製造方法］
図１３および図１４を参照して、個人認証媒体の製造方法を説明する。なお、第２実施形態における個人認証媒体の製造方法は、第１実施形態における個人認証媒体の製造方法と比べて、個人認証媒体の製造に用いられる転写箔の構成と、被検出部６２の位置検出が行われることとが異なる一方で、それ以外の構成は共通している。そのため、以下では、こうした相違点を詳しく説明する。
【０１６２】
個人認証媒体６０の製造方法は、回折部２１と被検出部６２とを含む回折層６１を準備することと、レーザー光線の照射によって発色する特性を有した吸収層１３を準備することと、回折層６１と吸収層１３とを対向させることと、を含む。また、個人認証媒体６０の製造方法は、回折層６１の表面６１ｓと対向する平面視における被検出部６２の位置を検出装置によって検出することと、被検出部６２の位置を基準として、吸収層１３のうち、レーザー光線を照射する部位を決めることと、吸収層１３にレーザー光線を照射して吸収部２２を形成することと、を含む。
【０１６３】
図１３が示すように、転写箔７０は、支持層４１と回折層６１とを備え、回折層６１は、支持層４１に対して剥離可能な強度で取り付けられている。回折層６１は、回折部２１および被検出部６２を含む凹凸構造層６１ａと、接着層６１ｂとを備えている。凹凸構造層６１ａのうち、支持層４１に接する面が、回折層６１の表面６１ｓに相当し、支持層４１に接する面とは反対側の面が、回折部２１を構成する回折格子と、被検出部６２を構成するレリーフ面とを含む凹凸面６１ｃである。言い換えれば、回折層６１は凹凸面６１ｃを有し、凹凸面６１ｃに回折部２１と被検出部６２とが位置している。
【０１６４】
回折部２１と被検出部６２とが１つの凹凸面６１ｃ上に位置しているため、回折部２１と被検出部６２とを同時に形成することができる。そのため、回折部２１の位置に対する被検出部６２の位置の精度が高まり、結果として、回折要素の位置に対して、被検出部６２の位置に基づき形成された吸収部２２の位置の精度も高まる。
【０１６５】
厚さ方向に沿う断面において、凹凸面である回折部２１と、同じく凹凸面である被検出部６２との間には、平坦面６３が位置している。回折部２１と被検出部６２との間に平坦面６３が位置していれば、回折部２１と被検出部６２とが、平坦面の分だけ互いから離れる。そのため、回折部２１と被検出部６２とが連続する構成と比べて、被検出部６２が射出する光が、回折部２１が射出する回折光に影響しにくい。
【０１６６】
回折層６１は、回折部２１、および、被検出部６２として機能する凹凸面での光学的な効果を高める反射層を備えてもよく、反射層は透明な薄膜であればよい。反射層の形成材料には、例えば、ＺｎＳ、および、ＴｉＯ２などを用いることが可能である。なお、反射層は、凹凸面６１ｃの全体を覆っていてもよいし、凹凸面６１ｃのうち、回折部２１と被検出部６２とのみを覆っていてもよい。
【０１６７】
こうした転写箔７０を形成するときには、支持層４１の１つの面に凹凸構造層６１ａを形成する。凹凸構造層６１ａは、例えば、以下の工程を経て形成される。凹凸構造層６１ａの形成材料を含む塗液を支持層４１の１つの面に塗布して塗膜を形成した後、回折部２１および被検出部６２として機能する凹凸面６１ｃを形成するための原版を押し当てる。そして、塗膜に対して原版を押し当てた状態で、塗膜を硬化させることによって、凹凸構造層６１ａを得ることができる。
【０１６８】
このように、回折部２１として機能する凹凸面と、被検出部６２として機能する凹凸面とを同一の面として、単一の工程で形成することが可能である。回折部２１と被検出部６２とを同一の面として単一の工程で形成した場合には、回折部２１と被検出部６２との相対的な位置の精度は、数百ｎｍ程度である。そのため、回折部２１に含まれる回折要素に対する吸収部２２の位置合わせの精度が高まる。
【０１６９】
なお、凹凸構造層６１ａの凹凸面６１ｃに反射層を有する構成であれば、凹凸面６１ｃに接着層６１ｂを形成する前に、凹凸面６１ｃに対して反射層を形成すればよい。例えば、上述したＺｎＳ、および、ＴｉＯ２などから形成される反射層は、スパッタ法、および、真空蒸着法などを用いて形成することができる。
【０１７０】
反射層を形成するときに、凹凸面６１ｃのうち、平坦面６３を覆うマスクを用いることによって、回折部２１と被検出部６２とのみに位置する反射層を形成することができる。また、凹凸面６１ｃの全体に反射層を形成した後、反射層の中で、平坦面６３に位置する部分のみを除去することによって、回折部２１と被検出部６２とのみに位置する反射層を形成することができる。
【０１７１】
個人認証媒体６０の製造方法では、第１基材１４、第２基材１５、吸収層１３、回折層６１、および、第３基材１６を備える積層体に対してレーザー光線の照射を行う前に、検出装置の一例であるレーザー印字装置を用いて、被検出部６２の位置を検出する。
【０１７２】
図１４が示すように、レーザー印字装置８０は、吸収層１３に対してレーザー光線を照射するための照射部に加えて、被検出部６２の位置を検出するための検出部を備えている。レーザー印字装置８０は、被検出部６２から射出される光の状態に基づき、被検出部６２の位置を検出する。
【０１７３】
レーザー印字装置８０は、例えば、被検出部６２から射出される光の光量、および、波長などに関する情報を予め記憶している。そして、レーザー印字装置８０は、回折層６１の表面６１ｓと対向する平面視において、積層体から射出される光の状態に関する情報を取得し、予め記憶した情報と取得した情報との比較によって、被検出部６２の位置を検出する。このとき、レーザー印字装置８０は、回折層６１の表面６１ｓと対向する平面視において、所定の面積を有する被検出部６２のうち、所定の位置を、吸収層１３のうち、吸収部２２を形成する部位を特定するための基準点に設定する。
【０１７４】
また、レーザー印字装置８０は、被検出部６２の位置、すなわち、基準点の位置に対する各吸収部２２の相対位置に関する情報を予め記憶している。レーザー印字装置８０は、被検出部６２の位置を検出した結果に基づき、基準点の位置を基準として、基準点の位置から所定の距離、かつ、所定の方向に吸収層１３のうちでレーザー光線を照射する部位を決める。
【０１７５】
このように、個人認証媒体６０の製造方法では、個人認証媒体６０を形成するための積層体が有する被検出部６２の位置に基づき、各吸収部２２を形成する位置を設定する。
【０１７６】
ここで、回折層６１から射出される回折光と、吸収部２２による光の吸収とによって所定の色を有した像を形成する際に、所望とする色と像が有する色とのずれを少なくする上では、回折層６１における回折要素の位置と、吸収部２２の位置とは、数μｍ程度の精度で位置合わせをすることが好ましい。
【０１７７】
上述したように、被検出部６２と回折部２１とは、１つの原版を用いて一度に形成されているため、回折層６１における被検出部６２の位置と回折部２１の位置、言い換えれば、回折部２１を構成する各回折要素の位置との位置合わせの精度は、数百ｎｍ程度である。
【０１７８】
それゆえに、被検出部６２の位置に基づき、各吸収部２２を形成する位置を設定することによれば、回折部２１を構成する回折要素に対して、吸収部２２を形成する位置の精度を数μｍ程度まで高めることが可能にもなる。
【０１７９】
これに対して、回折層６１を吸収層１３に転写する工程では、吸収層１３に対して回折層６１が転写される位置の精度は、数ｍｍ程度である。また、個人認証媒体６０から取り出した回折層６１を、真正品の吸収層１３ではなく、偽造品の吸収層に貼り付けたときにも、回折層１１に含まれる回折要素の位置と、吸収層に含まれる吸収部の位置との位置合わせの精度は、吸収層１３に対して回折層６１を転写するときの精度と同様、数ｍｍ程度である。
【０１８０】
そのため、偽造された個人認証媒体は、吸収層１３に形成された吸収部２２と、回折層６１の回折要素とに基づき所定の色を有した像を表示することは可能であるものの、像の有する色を所望とする色、すなわち真正の個人認証媒体６０と同等とすることが難しい。それゆえに、個人認証媒体６０によれば、個人認証媒体の偽造や改竄を行うことが難しい。
【０１８１】
なお、積層体の外部に位置する基準点を用いて各吸収部２２を形成する位置を設定する場合には、回折要素の位置と、吸収部２２の位置との位置合わせの精度は、外部の基準点に対する積層体の位置合わせの精度によって決まる。外部の基準点に対する積層体の位置合わせの精度は、数１０μｍ程度であるため、回折要素に対する吸収部２２の位置合わせの精度も、おおよそ数１０μｍ程度になる。
【０１８２】
すなわち、外部の基準点を用いた場合であっても、回折層６１と対向する吸収層１３に対して吸収部２２を形成する構成によれば、吸収部２２の形成された吸収層１３に対して回折層６１を転写する場合よりも、回折要素の位置に対する吸収部２２の位置の精度を高めることはできる。
【０１８３】
以上説明したように、積層体、個人認証媒体、および、積層体の製造方法の第２実施形態によれば、上述した（１）から（５）の効果に加えて、以下に列挙する効果を得ることができる。
【０１８４】
（６）回折層６１と吸収層１３とが対向する状態で吸収層１３に対してレーザー光線を照射する場合に、回折層６１が備える被検出部６２の位置を用いて、吸収層１３のうち、レーザー光線を照射する位置を決めることができる。
【０１８５】
（７）被検出部６２としての各光学素子が射出する光の特性に基づいて、被検出部６２の位置を検出することができる。
【０１８６】
（８）回折部２１と被検出部６２とが１つの凹凸面６１ｃ上に位置しているため、回折部２１と被検出部６２とを同時に形成することができる。そのため、回折部２１の位置に対する被検出部６２の位置の精度が高まり、結果として、回折要素の位置に対して、被検出部６２の位置に基づき形成された吸収部２２の位置の精度も高まる。
【０１８７】
［第２実施形態の変形例］
なお、上述した第２実施形態は、以下のように適宜変更して実施することもできる。
・被検出部６２は、回折層６１のうちで、回折部２１が位置する面とは異なる面に位置してもよい。こうした構成であっても、回折層６１が有する被検出部６２の位置を用いて、吸収層１３のうち、レーザー光線を照射する部位を決めることは可能であるため、上述した（６）に準じた効果を得ることはできる。
【０１８８】
・回折層６１の表面６１ｓと対向する平面視において、被検出部６２の形状は星形状に限らず、例えば、十字状、星形状以外の多角形状、および、円形状などの形状を有してもよい。こうした構成であっても、被検出部６２が、被検出部６２の射出する光によって位置を検出されるように構成されていれば、上述した（６）と同等の効果を得ることはできる。
【０１８９】
・被検出部６２の位置を検出する検出装置は、レーザー光線を照射するレーザー印字装置とは別体であってもよい。こうした構成であっても、検出装置の検出結果である被検出部６２の位置を用いて、吸収層１３のうち、レーザー印字装置がレーザー光線を照射する部位を決めることによって、上述した（６）と同等の効果を得ることはできる。
【符号の説明】
【０１９０】
１０，６０…個人認証媒体、１０ｓ，１１ｓ，１３ｓ，１５ｓ，６０ｓ，６１ｓ…表面、１１，６１…回折層、１１ａ，６１ａ…凹凸構造層、１１ｂ，６１ｂ…接着層、１１Ｒ１，６１Ｒ１…第１領域、１１Ｒ２，６１Ｒ２…第２領域、１２…印刷部、１３…吸収層、１３ｒ…裏面、１４…第１基材、１５…第２基材、１６…第３基材、２１…回折部、２２…吸収部、３０…回折単位、３０Ａ…第１回折単位、３０Ｂ…第２回折単位、３０Ｃ…第３回折単位、３１…第１回折要素、３２…第２回折要素、３３…第３回折要素、４０，７０…転写箔、４１…支持層、５０，８０…レーザー印字装置、６１ｃ…凹凸面、６１Ｒ３…第３領域、６２…被検出部、６３…平坦面、ＧＰ…格子パターン、ＧＰ１…第１格子要素、ＧＰ２…第２格子要素、ＧＰ３…第３格子要素。
【図１】
2017179685.tif 000003
【図２】
2017179685.tif 000004
【図３】
2017179685.tif 000005
【図４】
2017179685.tif 000006
【図５】
2017179685.tif 000007
【図６】
2017179685.tif 000008
【図７】
2017179685.tif 000009
【図８】
2017179685.tif 000010
【図９】
2017179685.tif 000011
【図１０】
2017179685.tif 000012
【図１１】
2017179685.tif 000013
【図１２】
2017179685.tif 000014
【図１３】
2017179685.tif 000015
【図１４】
2017179685.tif 000016
【国際調査報告】
2017179685.tif 000017
2017179685.tif 000018
2017179685.tif 000019
2017179685.tif 000020